(57)【要約】【課題】容易に着脱可能であると共に作業性のよい安価な指ガードを提供する。【解決手段】手指の爪先端側から第１関節位置まで被せる長さとすると共に指の両側にも被せられる幅とした可撓性を有する金属板と、前記金属板の内面と外面のいずれか一方又は両方を覆うように積層固着する金属板取付部と、該金属取付部の幅方向の端縁より伸ばした第１巻付部を備えた被覆材と、前記第１巻付部と金属板取付部とに、該第１巻付部を指に巻き付けた後に互いに係止する係止具と、を備え、前記被覆材と金属板との積層部を爪先端側から第１関節位置まで被せると共に、該積層部分の両側を指の両側外面に沿って湾曲させ、前記被覆材の第１巻付部を指に巻き付けて前記第１係止具で係止する。【選択図】図１
2009255256.tif 000002
【特許請求の範囲】
【請求項１】
手指の爪先端側から第１関節位置まで被せる長さとすると共に指の両側にも被せられる幅とした可撓性を有する金属板と、
前記金属板の内面と外面のいずれか一方又は両方を覆うように積層固着する金属板取付部と、該金属取付部の幅方向の端縁より伸ばした第１巻付部を備えた被覆材と、
前記第１巻付部と金属板取付部とに、該第１巻付部を指に巻き付けた後に互いに係止する係止具と、
を備え、
前記被覆材と金属板との積層部を爪先端側から第１関節位置まで被せると共に、該積層部分の両側を指の両側外面に沿って湾曲させ、前記被覆材の第１巻付部を指に巻き付けて前記第１係止具で係止する構成としていることを特徴とする指ガード。
【請求項２】
前記金属板は２ｃｍ〜３ｃｍの長さを有すると共に２．５〜３．５ｃｍの幅を有し、長さ方向の一端側を爪先端に沿った円弧状とした平板からなり、
前記平板からなる金属板に前記被覆材を固着している請求項１に記載の指ガード。
【請求項３】
前記被覆材は、前記金属板の爪先と反対の他端側で前記金属板取付部から伸ばした延在部と、該延在部の側縁より突出させた第２巻付部を連続して有し、
さらに、前記第２巻付部と前記延在部とに、該第２巻付部を指に巻き付けた後に互いに係止する係止具と、
を備え、
前記延在部を指の第１関節と第２関節の間の背部に被せ、前記第２巻付部を指に巻き付けて第２係止具で係止する構成としている請求項１または請求項２に記載の指ガード。
【請求項４】
前記金属板はアルミニウムからなり、指先に沿って湾曲可能な可撓性を有すると共に、引張強さが１００〜１５０Ｎ／ｍｍ２である防刃性を有し、
前記被覆材は、厚みが０．８〜１．５ｍｍの伸縮性布材からなり、接着剤を介して前記金属板と固着している請求項１乃至請求項３のいずれか１項に記載の指ガード。
【請求項５】
前記係止具は雌雄一対の面ファスナーからなる請求項１乃至請求項４のいずれか１項に記載の指ガード。
【請求項６】
親指、人差し指、中指に取り付けられる３種類をワンセットとして備え、
被裁断生地の表面にパターンを載置し、該パターンの周縁を親指、人差し指、中指で押さえながら、前記被裁断生地をパターンに沿わせて自動裁断刃で裁断する作業時に装着されるものである請求項１乃至請求項５のいずれか１項に記載の指ガード。
【発明の詳細な説明】
【技術分野】
【０００１】
本発明は指ガードに関し、特に、生地の上にパターンを重ね、このパターンの周縁を指で押さえながら、自動裁断装置の裁断刃に沿わせて生地を切断する際に、手指を裁断刃からガードし安全性を図るものである。
【背景技術】
【０００２】
バンドナイフによる裁断作業や料理で包丁を使用するときなど鋭利な刃物を用いて作業する場合、誤って刃部に手指が接触して手指に損傷を負う場合がある。
切断作業時に、手指を刃物からガードするものとして特開２００５−８７７０２号公報（特許文献１）の指ガードが提供されている。該指ガードは、図７に示すように、合成樹脂繊維の布または不織布などからなる防刃テープ１で指を覆い、防刃テープ１の上から合成樹脂または金属製の防刃カバー２などで指先３の背部を覆っている。
【０００３】
しかしながら、特許文献１の指ガードでは、使用するたびに防刃テープ１で手指を覆わなければならず、手指への取り付け性が悪いと共に、防刃カバー２を別体で装着しているため、防刃カバー２が容易に外れる恐れがある。
さらに、指ガードとして鉄線を手袋を編成したグローブが使用される場合もあるが、保護したい指だけでなく、手の全体をグローブで覆うためグローブ自体の重量が大きく、作業性が非常に悪くなると共にグローブは高価となる問題がある。
【０００４】
【特許文献１】特開２００５−８７７０２号公報
【発明の開示】
【発明が解決しようとする課題】
【０００５】
本発明は、前記問題に鑑みてなされたものであり、指から外れにくく、確実に指を保護できると共に作業性が良く、さらに、容易に着脱できると共に安価な指ガードを提供することを課題としている。
【課題を解決するための手段】
【０００６】
前記課題を解決するために、本発明は、手指の爪先端側から第１関節位置まで被せる長さとすると共に指の両側にも被せられる幅とした可撓性を有する金属板と、
前記金属板の内面と外面のいずれか一方又は両方を覆うように積層固着する金属板取付部と、該金属取付部の幅方向の端縁より伸ばした第１巻付部を備えた被覆材と、
前記第１巻付部と金属板取付部とに、該第１巻付部を指に巻き付けた後に互いに係止する係止具と、
を備え、
前記被覆材と金属板との積層部を爪先端側から第１関節位置まで被せると共に、該積層部分の両側を指の両側外面に沿って湾曲させ、前記被覆材の第１巻付部を指に巻き付けて前記第１係止具で係止する構成としていることを特徴とする指ガードを提供している。
【０００７】
前述したように、防刃性の高い金属板を手指の爪先端側から第１関節位置まで被せているため、作業中に鋭利な切断刃と指が誤って接触しそうになった場合、金属板が切断刃と接触し、指に切断刃が直接に接触しないため、指が損傷を受けることを防止できる。かつ、必要な指だけに指ガードを取り付ければよく、しかも、指ガードの金属板は第１関節位置までの長さとしているため、各指全体、更には、手全体が拘束されることがなく、各指を自由に動かして細かい作業ができ、作業性を低下させない。
よって、作業性が悪く高価な市販の鉄製のグローブを着用しなくても、手指の安全性を確保することができる。
【０００８】
また、金属板は容易に曲げることができる可撓性を有するものとしているため、着用者の指に装着してから金属板を曲げることで、指にぴったりと装着させることができる。かつ、金属板と被覆材との積層部は指の両側まで折り曲げてカバーする大きさとしているため、爪の両側の皮膚が外面に位置する指の両側部を金属板でしっかりとガードすることができる。
【０００９】
さらに、被覆材の第１巻付部を指に巻き付けて第１係止具で係止するだけで、指ガードを手指に固定することができるため、指ガードを簡単に着脱することができる。
さらに、金属板に布を固着している簡単な構造であり、安価な材料費で製造することができる。
【００１０】
前記被覆材としては、比較的厚い布、弾性樹脂あるいはゴムなどが用いられるが、指との馴染み性から弾性編地等からなる繊維布が好適に用いられる。
前記金属板は可撓性および防刃性を有する金属板であれば良いが、アルミニウム等の軽金属、ステンレス等が好適に用いられる。
【００１１】
前記金属板は２ｃｍ〜３ｃｍの長さを有すると共に２．５〜３．５ｃｍの幅を有し、長さ方向の一端側を爪先端に沿った円弧状とした平板からなり、前記平板からなる金属板に前記被覆材を固着している。
前記金属板の長さは、通常の成人の親指、人差し指、中指の爪先端から第一関節までの長さ範囲である。同様に、前記金属板の幅は、成人の親指、人差し指、中指の爪先端から第一関節までの長さ範囲において爪のある表面から両側部を覆う幅に相当する。
このように、金属板の長さおよび幅を設定しておくことにより、装着する使用者の指の大きさの個人差を吸収でき、爪側先端から第一関節までを金属板で保護することができる。
【００１２】
具体的には、金属板の長さが２ｃｍより小さければ、金属板が第１関節部分全体を覆うことができない場合があり安全性に寄与できない場合がある。一方、３ｃｍより長くすると第一関節を越えることとなり、金属板により指先が曲がりにくくなり、作業時に邪魔になり、作業性を悪化させやすい。
また、金属板の幅が２．５ｃｍより小さければ、装着時に手指の両側まで覆いきれないため安全性が低下し、３．５ｃｍより大きければ、手指の両側部分が余ってしまい、作業の邪魔になる。
【００１３】
前記被覆材は、前記金属板の爪先と反対の他端側で前記金属板取付部から伸ばした延在部と、該延在部の側縁より突出させた第２巻付部を連続して有し、
さらに、前記第２巻付部と前記延在部とに、該第２巻付部を指に巻き付けた後に互いに係止する係止具と、
を備え、
前記延在部を指の第１関節と第２関節の間の背部に被せ、前記第２巻付部を指に巻き付けて第２係止具で係止する構成としているのが好ましい。
【００１４】
前記構成とすると、延在部を設けて第１関節と第２関節の間で第２巻付部を指に巻き付け第２係止具で係止していることで、第１巻付部と第２巻付部の２箇所で指ガードを固定していることになり、より確実に手指に指ガードを固定することができる。
【００１５】
具体的には、前記金属板はアルミニウムからなり、指先に沿って湾曲可能な可撓性を有すると共に、引張強さが１００〜１５０Ｎ／ｍｍ２である防刃性を有し、
前記被覆材は、厚みが０．８〜１．５ｍｍの伸縮性布材からなり、接着剤を介して前記金属板と固着しているのが好ましい。
【００１６】
前記金属板の引張強さが１００Ｎ／ｍｍ２より小さいと、刃物で金属板が切断される恐れがあり安全性が低くなる。一方、１５０Ｎ／ｍｍ２より大きいと、剛性が高くなるため、指先に沿ってぴったりと曲げにくくなり、装着感が悪くなると共に、作業性も悪くなる。
被覆材を伸縮性布材とすることで、肌当たりが良く手指にフィットするため装着感が良い。被覆材の厚みが０．８ｍｍより小さいと、使用していくうちに破れてしまう恐れがあり、１．５ｍｍより大きいと、指ガードを手指に巻きつけた際に装着感が悪くなりやすい。
被覆材の厚みは、０．８〜１．２ｍｍとするのがさらに好適である。
【００１７】
前記係止具は雌雄一対の面ファスナーからなるのが好ましい。
係止具を面ファスナーとすると、着脱が容易であると共に、一度、係止すると剥がれにくく装着力が強く、作業時に指ガードが脱落する恐れはない。また、面ファスナーは突出しないため、指ガードが外部材と干渉して引っ掛かることはない。
【００１８】
本発明の指ガードは、親指、人差し指、中指に取り付けられる３種類をワンセットとして備え、
被裁断生地の表面にパターンを載置し、該パターンの周縁を親指、人差し指、中指で押さえながら、前記被裁断生地をパターンに沿わせて自動裁断刃で裁断する作業時に装着されるものとして、特に、好適に用いられる。
【発明の効果】
【００１９】
前述したように、本発明によれば、防刃性の高い金属板を手指の爪先端側から第１関節位置まで被せているため、作業中に鋭利な切断刃に誤って接触したとしても、金属板に保護されて手指が損傷を受けることを防止できる。よって、手指の安全性を確保することができると共に、手全体に金属糸からなる手袋を嵌める必要がなく、各手指を自由に動かすことが出来、細かい作業にも対応することができる。
また、被覆材の第１巻付部を指に巻き付けて第１係止具で係止するだけで、指ガードを手指に固定することができるため、容易に指ガードを着脱することができ、着脱する際のわずらわしさもないと共に、金属板に布を固着している簡単な構造であり、安価な材料費で製造することができる。
【００２０】
さらに、延在部を設けて第１関節と第２関節の間で第２巻付部を指に巻き付け第２係止具で係止していると、第１巻付部と第２巻付部の２箇所で指ガードを固定していることになり、より確実に指に指ガードを固定することができる。
【発明を実施するための最良の形態】
【００２１】
以下、本発明の実施形態を図面を参照して説明する。
図１乃至図５に本発明の指ガード１０の第１実施形態を示す。
指ガード１０は、図１に示すように、作業台Ｑ上に置かれた被裁断生地Ｘの表面に、布または紙からなるパターンＹを載置し、該パターンＹの周縁を中指Ａ、人差し指Ｂ、親指Ｃで押さえながら、被裁断生地ＸをパターンＹと共に自動裁断刃Ｚの裁断位置へ回転させて、被裁断生地ＸをパターンＹの周縁に沿って自動裁断刃Ｚで裁断する際に、中指Ａ、人差し指Ｂ、親指Ｃに装着するものである。自動裁断刃Ｚは環状となっており、自動裁断装置（図示せず）内で循環駆動され、矢印で示す下方向に連続移動されるものである。
よって、指ガード１０は、中指Ａ用、人差し指Ｂ用、親指Ｃ用の３個をワンセットとしている。
【００２２】
以下に、人差し指Ｂ用の指ガード１０について説明する。なお、中指Ａ用、親指Ｃ用の指ガードは人差し指Ｂ用の指ガード１０と同様な構成であり、親指Ｃ用は若干幅を広げている点のみが相違している。
【００２３】
指ガード１０は、図２に示すように、金属板１１と被覆材１２とを積層固着した積層部１０ａと、積層部１０ａから延在した延在部１０ｃと、手指に巻き付ける巻付部１０ｂとを備えている。
【００２４】
前記金属板１１は指先に沿って湾曲可能な可撓性を有するアルミニウム板とし、図３（Ｂ）に示すように、着用前の状態では、長さ方向の一端側を爪先端に沿った円弧状とした平板としている。該金属板１１は、人差し指Ｂの爪先端側から第１関節位置Ｐ１まで被せる長さとすると共に、人差し指Ｂの両側（表面側の爪をはさむ両側の皮膚の部分）にも被せられる幅としている。
本実施形態では、金属板１１は、長さＬが２．７ｃｍ、幅Ｗ１が２．８ｃｍ、厚みが０．３ｍｍとしている。この金属板１１は、引張試験における引張強さが１３２Ｎ／ｍｍ２、伸びが２２．６％である。
なお、引張試験はＪＩＳ  Ｚ２２０１に準拠した試験片（厚さ０．３ｍｍ×幅２５ｍｍ）を用い、試験温度２３℃、標点距離５０ｍｍにて、ＪＩＳ  Ｚ２２４１に準拠して行っている。
【００２５】
前記被覆材１２は伸縮性を有する布（具体的には、ツーウェイトリコット）からなり、図２および３（Ａ）（Ｃ）に示すように、金属板の外面１１ａを覆う第１被覆材１３と内面１１ｂを覆う第２被覆材１４とを備えており、該２枚の被覆材１３、１４で金属板１１を挟んで接着剤で固着している。本実施形態では、第１、第２被覆材１３、１４の厚みｔはそれぞれ約１ｍｍとしている。
【００２６】
第１被覆材１３は、金属板１１の外面１１ａを覆う金属板取付部１３ａと、金属板１１の他端側で金属板取付部１３ａから伸ばした延在部１３ｂとを備えている。該延在部１３ｂは、後述する第２被覆材１４の延在部１４ｂとで延在部１０ｃを形成している。金属板取付部１３ａの周縁は、金属板１１の周縁に沿う形状としている。
また、第１巻付部１３ｃ−１を金属板取付部１３ａの幅方向の端縁より突出させていると共に、第２巻付部１３ｃ−２を延在部１３ｂの側縁より突出させ、該第１、第２巻付部１３ｃ−１、１３ｃ−２で巻付部１０ｂを形成している。
【００２７】
第１巻付部１３ｃ−１は細幅の帯状とし、長さは人差し指Ｂに巻き付けることができる長さに設定している。第２巻付部１３ｃ−２は、長さを第１巻付部１３ｃ−１と同一としているが、幅を第１巻付部１３ｃ−１より大きくしている。
【００２８】
前記延在部１３ｂは略矩形状とし、人差し指Ｂの第１関節位置Ｐ１から第２関節位置Ｐ２までの背部を覆う長さとしている。金属板取付部１３ａと延在部１３ｂとの間の両側には、断面三角形状の切欠１３ｄ−１、１３ｄ−２を設けており、金属板取付部１３ａと延在部１３ｂが手指に沿うようにしている。
【００２９】
前記第１巻付部１３ｃ−１および第２巻付部１３ｃ−２の先端内面側に雌の面ファスナー１３ｅ−１、１３ｅ−２を接着剤で固着している一方、金属板取付部１３ａおよび延在部１３ｂの外面側の面ファスナー部１３ｅ−１、１３ｅ−２を係止する位置に雄の面ファスナー部１３ｆ−１、１３ｆ−２を接着剤で固着している。
なお、面ファスナーは巻き付け部に縫着して取り付けてもよい。
【００３０】
第２被覆材１４は、第１被覆材１３の金属板取付部１３ａおよび延在部１３ｂと同一形状としている金属板取付部１４ａと延在部１４ｂとを備えており、金属板取付部１４ａと延在部１４ｂの間の両側には、第１被覆材１３と同様に切欠部１４ｃ−１、１４ｃ−２を設けている。
【００３１】
次に、指ガード１０を人指し指Ｂに装着する方法について説明する。
図４（Ａ）〜（Ｃ）は、人差し指Ｂに指ガード１０を装着した状態を示す図である。
前記被覆材１２と金属板１１との積層部１０ａを爪先端側から第１関節位置Ｐ１まで被せると共に、延在部１０ｂを人差し指Ｂの第１関節位置Ｐ１と第２関節位置Ｐ２の間の背部に被せる。該積層部１０ａの両側を人差し指Ｂの両側外面に沿って湾曲させ、巻付部１０ｂを形成する第１被覆材１３の第１巻付部１３ｃ−１を指に巻き付けて、雄雌の面ファスナー１３ｅ―１、１３ｆ−１を接着させて係止する。
さらに、延在部１３ｂの第２巻付部１３ｃ−２を指に巻き付けて雄雌の面ファスナー１３ｅ―２、１３ｆ−２を接着させて係止する。
【００３２】
前記のように指ガード１０を指に取り付けると、防刃性の高い金属板１１を人差し指Ｂの爪先端側から第１関節位置Ｐ１まで被せているため、作業中に鋭利な刃物に誤って接触したとしても、金属板１１で保護され、人差し指Ｂが損傷を受けることを防止できる。よって、人差し指Ｂの安全性を確保することができると共に、手全体に金属製の手袋を嵌める必要がないため、細かい作業にも対応することができる。
【００３３】
また、第１被覆材１３の第１巻付部１３ｃ−１および第２巻付部１３ｃ−２を指に巻き付け、雌の面ファスナー１３ｅ−１、１３ｅ−２を雄の面ファスナー１３ｆ−１、１３ｆ−１に係止するだけで、指ガード１０を人差し指Ｂに固定することができるため、容易に指ガード１０を着脱することができ、着脱する際のわずらわしさもない。
【００３４】
さらに、延在部１０ｃ（１３ｂ、１４ｂ）を設けて第１関節位置Ｐ１と第２関節位置Ｐ２の間で第２巻付部１３ｃ−２を指に巻き付けて係止しているため、第１巻付部１３ｃ−１と第２巻付部１３ｃ−２の２箇所で指ガード１０を人差し指Ｂに固定していることになり、より強固に指ガード１０を固定することができる。
さらにまた、金属板１１に被覆材１２を固着している簡単構造であり、安価な材料費で製造することができる。
【００３５】
図５に本発明の第２実施形態を示す。
第２実施形態の指ガード２０は親指Ｃ用とし、積層部２０ａの形状を第１実施形態と相違させている。具体的には、積層部２０ａの巻付部側の傾斜を第１実施形態よりも緩やかにして金属板２１の幅Ｗ２を指ガード１０の金属幅Ｗ１よりも大きくしている。
【００３６】
また、第１被覆材２３の金属取付部２３ａおよび延在部２３ｂからは、第１巻付部２３ｃ−１および第２巻付部２３ｃ−２を突出させ、第１巻付部２３ｃ−１および第２巻付部２３ｃ−２先端の内面側には、第１被覆材２３の外面に直接係止できる面ファスナー２３ｅ−１、２３ｅ−２を固着している。
本実施形態では、指ガード２０の金属板２１の幅Ｗ２は３．２ｃｍとしている。
他の構成および作用効果は第１実施形態と同様のため、同一の符号を付して説明を省略する。
【００３７】
図６に本発明の第３実施形態を示す。
第３実施形態の指ガード３０は、第１実施形態の延在部１０ｃおよび第１被覆材１３の第２巻付部１３ｃ−２を備えていない点を第１実施形態と相違させている。
具体的には、前記指ガード３０は、金属板１１を第１実施形態と同一とし、第１被覆材３３と第２被覆材３４とで金属板１１を積層固着している積層部３０ａと、第１被覆材３３の第１巻付部３３ｃ−１からなる巻付部３０ｂとを備えており、第１巻付部３３ｃ−１を指に巻き付けて雄雌の面ファスナー３３ｅ―１、３３ｆ−１を接着させて係止している。
他の構成および作用効果は第１実施形態と同様のため、同一の符号を付して説明を省略する。
【産業上の利用可能性】
【００３８】
本発明の指ガードは、布を裁断するときや料理で包丁を使用するときに好適に用いられるものである。
【図面の簡単な説明】
【００３９】
【図１】本発明の指ガードを手指に装着し、被裁断生地をパターンに沿わせて自動裁断刃で裁断する状態を示す図である。
【図２】第１実施形態の人差し指用の指ガードを示し、（Ａ）は平面図、（Ｂ）は正面図である。
【図３】（Ａ）は第２被覆材の平面図、（Ｂ）は金属板の平面図、（Ｃ）は第１被覆材の平面図である。
【図４】指ガードを人差指に装着した状態の図であり、（Ａ）は正面図、（Ｂ）平面図、（Ｃ）は右側面図である
【図５】第２実施形態の親指用の指ガードを示し、（Ａ）は平面図、（Ｂ）は正面図である。
【図６】第３実施形態の指ガードを示し、（Ａ）は平面図、（Ｂ）は正面図である。
【図７】従来例を示す図である。
【符号の説明】
【００４０】
１０、２０、３０  指ガード
１１、２１  金属板
１１ａ、２１ａ  金属板取付部
１２  被覆材
１３、２３、３３  第１被覆材
１４、２４、３４  第２被覆材
１３ｃ−１、２３ｃ−１  第１巻付部
１３ｃ−２、２３ｃ−２  第２巻付部
１３ｂ、１４ｂ延在部
１３ｅ−１、１３ｅ−２、雌の面ファスナー
１３ｆ−１、１３ｆ−２、雄の面ファスナー
Ｐ１  第１関節位置
Ｐ２  第２関節位置
Ａ  中指
Ｂ  人差し指
Ｃ  親指
Ｘ  被裁断生地
Ｙ  パターン
Ｚ  自動裁断刃
【図１】
2009255256.tif 000003
【図２】
2009255256.tif 000004
【図３】
2009255256.tif 000005
【図４】
2009255256.tif 000006
【図５】
2009255256.tif 000007
【図６】
2009255256.tif 000008
【図７】
2009255256.tif 000009